(57)【要約】      （修正有）【課題】折り畳めば小型、薄型のポケットサイズとなる小便器であって、例えば車中で渋滞し緊急措置を要する場合に使用され、平時の保持においても違和感なく、適宜処理可能であり、使用中は尿の逆漏なく、使用後は排尿の袋をその場で床置出来る携帯用の小便器を提供する。【解決手段】陰茎が挿入されるサイズの挿入部ｃの一方の開口部には、中央に小指が入る程度の穴ｂが開いた弾性皮膜ａが張られている。挿入部の他の開口部には袋ｄの口部分が密着されており、使用に際しては陰茎が適度に締まる弾性皮膜の穴ｂを通過して挿入部に挿入され、中で尿を足せば袋に尿が溜まる構造を備えている。未使用時は袋ｄが折り畳まれ挿入部中に収納されているのでポケットサイズを保つ。又この小便器を収納する外ケースは、使用後に偏平となる挿入部をこの外ケースに差込む事によって、袋中の尿の流出を妨げる圧着フタとして利用出来る構造を備える。【選択図】図１
0003181907.tif 000002
【実用新案登録請求の範囲】
【請求項１】
陰茎が挿入されるサイズに開口する挿入部と、その挿入部に折り畳まれた状態で収納さる袋とからなる携帯用の小便器であって、前記挿入部の一方の開口部には、中央に小指が入る程度の穴が開いた弾性皮膜が取り付けられ、前記挿入部の他方の開口部には前記袋の口部分が入って前記挿入部の内壁に密着されており、使用に際しては陰茎が適度に締まる弾性皮膜を通過し挿入部に挿入され、挿入部中で尿を足せば袋に尿が溜まる構造を備えた携帯用の小便器。
【請求項２】
前記挿入部は、不使用時には偏平状態を維持し、使用時に偏平状の挿入部の両サイドを圧する事により筒状態となる構造である請求項１に記載の携帯用の小便器。
【請求項３】
更に前記記載の小便器は、それを収納する外ケースを備えており、この外ケースは両サイドを圧し挟み込まない限り偏平の状態を維持するクサビ状に形成され、使用済みの小便器の前記挿入部を偏平状態に戻して外ケース内のクサビ内に差し込み挟み込むと挿入部が締まり、袋中の尿の流出を防止する構造である請求項１に記載の携帯用の小便器。
【考案の詳細な説明】
【技術分野】
【０００１】本考案は、尿瓶を代表とする小便器に係わるものである。
【背景技術】
【０００２】例えば、車中で渋滞に巻き込まれ強い尿意を催し、その処置に窮する場合があるが、通常では尿瓶等を車中に携行していない。また一般の人は、そのような外見のものを車中に常備していておく事は憚られる。
そのため目立たなく常備出来、車中においても尿を足せる小型の使い勝手のよい携帯用の小便器が望まれていた。
【先行技術文献】
【０００３】
【特許文献】
【特許文献】公開実用新案平１−１０７３２１号公報
【考案の概要】
【考案が解決しようとする課題】
【０００４】  特許文献で示された「使い捨て尿瓶」については、陰茎をビニール袋に保持するためにマジックテープ又は接着テープで固定する方法を用いているが、陰茎の保持に手間がかかりしかも尿漏れを生じる欠点があり改良する課題があった。【０００５】  更に特許文献で示された「使い捨て尿瓶」については、使用後は固定させるために使用したテープで口を締めて捨てると記述しているが、これも手間であり又この程度の処理では尿の流出は免れない欠点があり改良する課題があった。【０００６】  尿瓶では日頃車中等に常備する事は憚れるので、常備保持しても違和感が無く軽量で小型化し、体裁のよいスタイルに改良する課題があった。
【課題を解決するための手段】
【０００７】  上記課題を解決するために、本考案における小便器は、陰茎が挿入されるサイズに開口する挿入部と、その挿入部に折り畳まれた状態で収納される袋とからなる構造を備えた携帯用の小便器であって、前記挿入部の一方の開口部には、中央に小指が入る程度の穴が開いた弾性皮膜が取り付けられ、前記挿入部の他方の開口部には前記袋の口部分が入って前記挿入部の内壁に密着されており、使用に際しては陰茎が適度に締まる弾性皮膜を通過し挿入部に挿入され、挿入部中で尿を足せば尿は漏れが無く袋中に尿が溜まる構造を備えた携帯用の小便器を提供し、前述の課題を解決するものである。【０００８】  本考案では前記挿入部は尿が溜まる袋を備えているが、未使用状態では折り畳まれて挿入部の中に収納され不使用時には偏平状態を維持しており、使用時に偏平状の挿入部の両サイドを圧する事により筒状態となる構造である。この構造によってポケットに入る程度の小型化が図られ常備保管可能なスタイルとなり、前述の課題を解決するものである。【０００９】  更に本考案の小便器は前述の挿入部をキッチリと収納する外ケースを備えており、この外ケースは両サイドを圧し挟み込まない限り偏平の状態を維持するクサビ状に形成され、使用済みの小便器の前記挿入部を偏平状態に戻して外ケース内のクサビ内に深く差込み挟み込むと、挿入部は締まって袋中の尿の流出を防止する構造を備える事となり、前述の課題を解決するものである。
【考案の効果】
【００１０】  本考案の携帯用の小便器を使う事によって、利用者は渋滞している運転中であっても座ったままズボンのチャクを下げ、陰茎を弾性皮膜を通過して挿入部に挿入し用を足せば、この皮膜の伸縮弾性による締め付けによって陰茎を回りから締めてシッカリと固定する事が出来、差込み挿入する方法も容易で、尿の逆漏れ等の流出もなく陰茎は挿入口から抜け出ず、着衣等を濡らす事もない。【００１１】  本考案の携帯用小便器を使うことによって、使用後は外ケースを挿入部の圧着閉めフタとして差込み利用するので、このクサビ状の先端部の締付け効果によって挿入口は密閉され袋中の溜まった尿は流出する事はなく、そのまま床置きも可能である。【００１２】  本考案の携帯用の小便器は、ポケットに収納できる小さなサイズであるので、常時車中に保管されていても尿瓶を置くような違和感は全く生ぜず、万一の渋滞に巻き込まれても車中で尿を容易に足す事が出来る。【００１３】  以上の特徴を有するので本考案の携帯用の小便器は、突然の腰痛で動かれない人、一般の病人、老人介護等の用品として、布団に伏している場合でも簡便に採尿が可能であり多様な活用が見込まれるものである。
以上により前述の欠点を解決し、効果を生ずるものである。
【図面の簡単な説明】
【図１】携帯用の小便器の斜視図
【図２】使用中の携帯用の小便器の斜視図
【図３】袋を折り畳む途中の斜視図
【図４】外ケースに小便器を差し込む直前の斜視図
【考案を実施するための形態】
考案の実施の形態について図面を参照して説明する。
【００１４】  図１のように、ゴム、紙又は合成樹脂でつくられた挿入部ｃ．の一方の挿入口には中央に指が入る程度の穴ｂ．を設けたゴム又は合成樹脂でつくられた弾性皮膜ａ．が張られている。他方の筒口には尿を収容するゴム、紙、あるいは合成樹脂で作られた袋ｄ．の開口部が挿入部内部に密着されており、袋の尿収容部分は外に現れ携帯用の小便器を構成している。
【００１５】  図２のように、利用者は陰茎ｅ．を穴ｂ．を通して挿入部ｃ．に挿入し尿を足す。足した尿は袋ｄ．の中で尿ｆ．のように溜まる事となる。
【００１６】  図３のように、袋ｄ．は折り畳む事によって挿入部ｃ．に折込み収納する事が出来る。
【００１７】  図４のように、挿入部ｃ．は外ケースｇ．に差込み、収納する事が出来る。
【産業上の利用可能性】  生理、衛生、介護用品に関する産業の領域で商品化が期待される。
【符号の説明】ａ  弾性皮膜
ｂ  穴
ｃ  挿入部
ｄ  袋
ｅ  陰茎
ｆ  尿
ｇ  外ケース
【図１】
0003181907.tif 000003
【図２】
0003181907.tif 000004
【図３】
0003181907.tif 000005
【図４】
0003181907.tif 000006